(57)【特許請求の範囲】
【請求項１】
便器本体のボール部と、トラップ部の少なくとも一部と、該トラップ部を隠蔽するトラップ隠蔽部とを一体成形した水洗式大便器であって、前記トラップ隠蔽部は前記便器本体の背面部及び下面部を除く周面に形成され、前記背面部は開口部を有し、この開口部の一部に前記開口部を補強する補強部を設けたことを特徴とする水洗式大便器。
【請求項２】
請求項１記載の水洗式大便器において、前記トラップ部は前記便器本体と一体成形された前記ボール部の排水口に連続する上昇管と、この上昇管に連続する立下管と、前記便器本体とは別体で前記便器本体の排水口に接続される上流側接続管と、前記便器本体外に設けられた排水口に接続される下流側接続管とで構成されるトラップ装置とからなることを特徴とする水洗式大便器。
【請求項３】
請求項１記載の水洗式大便器において、前記補強部を前記トラップ隠蔽部と一体成形したことを特徴とする水洗式大便器。
【請求項４】
請求項３記載の水洗式大便器において、前記補強部が前記トラップ隠蔽部と一体成形された折り返し部であることを特徴とする水洗式大便器。
【請求項５】
便器のボール部、ボール部の排水口に連続する上昇管、この上昇管に連続する立下管、便器の側面から前面にかかる部分を覆う隠蔽部、及び便器の開放された背面部周囲に設けられる折り返し部を鋳込み成形する胴型と、リム部を成形するリム型とからなる型装置であって、前記胴型は上型、底型及び左右の側型から構成され、前記上型はボール部及び上昇管と立下管の上側部分を成形する成形面を有し、前記底型は上昇管と立下管の下側部分、隠蔽部の内側面及び折り返し部の内側面を成形する成形面を有し、前記左右の側型は隠蔽部の外側面及び折り返し部の外側面を成形する成形面を有することを特徴とする水洗式大便器の鋳込み成形用型装置。
【発明の詳細な説明】
技術分野
本発明は、便器本体とトラップ装置とを別体とした水洗式大便器とこの大便器を鋳込み成形する型装置に関する。
背景技術
従来、水洗式大便器として、トラップ部分まで一体に鋳込み成形する場合には、トラップ部分が便器側面に露出することになり、デザイン上好ましくないばかりでなく、汚れが付着しやすく清掃しにくいという不利もある。
そこで、便器本体の周囲にスカート部を設け、このスカート部内にトラップ装置を収めるようにしたものが、米国特許第4,672,689号或いは国際公開ＷＯ95/27833号に開示されている。周囲にスカート部を設けた場合には、便器本体とトラップとを一体成形することは成形型の構造上の制約により困難となるため、便器本体とトラップとを別体とし、トラップを後付けするようにしている。
国際公開ＷＯ95/27833号に開示される便器は、下面のみが開放されているので、トラップを後付けする作業が面倒である。一方、米国特許第4,672,689号に開示される便器は、図３５に示すように、便器１００の下面と後面とが連続して開放されているのでトラップ装置１０１の後付け作業が楽になる。
しかしながら、米国特許第4,672,689号に開示される便器にあっては、床面に形成された排水口の位置に合せてトラップ装置の長さを簡単に調節することができず、長さを調節するために配管の切断作業等が必要になり面倒である。
また、便器下面と後面を連続して開放すると、スカート部１０２の後端部分１０３の強度が不足し、取り付け作業時にこの部分で割れや欠けを生じやすい。これを解消するには、スカート部１０２の厚みを厚くしなければならず、鋳込み成形の際の着肉に時間がかかり且つコストアップにつながる。
発明の開示
本発明は上記課題を解決すべくなされたものであって、本願発明に係る水洗式大便器は、便器本体のボール部と、トラップ部の少なくとも一部と、該トラップ部を隠蔽するトラップ隠蔽部とを一体成形した構成とした。
また、前記トラップ部は便器本体と一体成形されたボール部の排水口に連続する上昇管と、この上昇管に連続する立下管と、便器本体とは別体で便器本体の排水口に接続される上流側接続管と、便器本体外に設けられた排水口に接続される下流側接続管とで構成されるトラップ装置とで構成した。
また前記トラップ隠蔽部は便器本体の背面部及び下面部を除く周面に形成されている。
この場合、便器本体の背面部の開口部の一部に開口部を補強する補強部を設けることにより強度アップを図るようにしてもよい。
前記補強部は別体で成形したものを前記開口部に合体して構成することもできるが、前記トラップ隠蔽部と一体成形するのが好ましい。
その構成として便器本体の背面部に折り返し部として一体成形するのが好ましい。
尚、前記トラップ隠蔽部は便器本体の下面部を除く周面に形成するようにしてもよい。
ここで前記トラップ装置は上流側接続管と下流側接続管とを接続する連結管を備え、これら上流側接続管、下流側接続管及び連結管に亘ってトラップシールのための水溜り部を形成することが可能である。或いは、前記上流側接続管にトラップシールのための水溜り部を形成してもよい。
また、便器本体については上流側接続管または下流側接続管を介して床面に固定することが可能であり、この場合には便器本体、上流側接続管または下流側接続管に、便器本体の取り付け位置を微調整可能とする機構を設けることが好ましい。
また、前記トラップ装置の少なくとも一部については、身障者の便器使用を容易にするための便器本体の設置高さ調節部材と一体としてもよい。
また、トラップ装置の下流側接続管の排水側の開口部に開口面積を調節する絞り部を備えることも可能である。
また、前記トラップ装置を、上流側接続管、下流側接続管及び連結管で構成した場合には、これら管に接続時の位置決め手段を設けることが可能である。位置決め手段としては、各管に設ける目印或いは互いに係合する凹凸部等が考えられる。
更に、前記トラップ装置を、上流側接続管、下流側接続管及び連結管で構成した場合には、連結管の外径を上流側接続管及び下流側接続管の内径と略等しく、連結管が上流側接続管及び下流側接続管に対し液密状態で且つ摺動可能に嵌合するようにしてもよい。この場合に、それぞれの管がキー嵌合する構成となっていれば更に好ましい。
また、本発明に係る鋳込み成形用型装置は、便器のボール部、ボール部の排水口に連続する上昇管、この上昇管に連続する立下管、側面から前面にかかる部分を覆う隠蔽部、及び開放された背面部の周囲に設けられる折り返し部を鋳込み成形する胴型と、リム部を成形するリム型とから成形用型装置を構成し、特に胴型を上型、底型及び左右の側型から構成し、更に前記上型はボール部及び上昇管と立下管の上側部分を成形する成形面を有し、前記底型は上昇管と立下管の下側部分、スカート部の内側面及び折り返し部の内側面を成形する成形面を有し、前記左右の側型はスカート部の外側面及び折り返し部の外側面を成形する成形面を有するものとした。
また、本発明に係る他の鋳込み成形用型装置は、便器のボール部、ボール部の排水口に連続する上昇管、この上昇管に連続する立下管、便器の側面から前面にかかる部分を覆う隠蔽部、及び便器の背面部を鋳込み成形する胴型と、リム部を成形するリム型とからなる型装置であって、前記胴型は上型、底型及び左右の側型から構成され、前記上型はボール部及び上昇管と立下管の上側部分を成形する成形面を有し、前記底型は上昇管と立下管の下側部分、隠蔽部の内側面及び背面部の内側面を成形する成形面を有し、前記左右の側型は隠蔽部の外側面及び背面部の外側面を成形する成形面を有するものとした。
【図面の簡単な説明】
図１は本発明に係る水洗式大便器の便器本体とトラップ装置とを分離して示した斜視図である。
図２は便器本体の縦断面図である。
図３はトラップ装置の縦断面図である。
図４はトラップ装置の別実施例を示す図３と同様の断面図である。
図５はトラップ装置を構成する上流側接続管の別実施例を示す断面図である。
図６は上流側接続管のシール部の別実施例を示す断面図である。
図７は上流側接続管の別実施例を示す断面図である。
図８は図７に示した上流側接続管の平面図である。
図９は図３に示したトラップ装置の上流側接続管の平面図である。
図１０（ａ）及び（ｂ）はトラップ装置の別実施例を示す斜視図である。
図１１はトラップ装置を構成する下流接続管の別実施例を示す図である。
図１２は下流接続管を２分割した場合の接合部の断面図である。
図１３はトラップ装置を構成する下流側接続管と便器本体との接続の方法を説明した図である。
図１４（ａ）〜（ｃ）は、トラップ装置の長さ調整について説明した図である。
図１５はトラップ装置を構成する下流側接続管の別実施例を示す断面図である。
図１６は下流側接続管と便器本体との接続の別実施例を示す斜視図である。
図１７は図１６と同様の斜視図である。
図１８は別実施例に係る水洗式大便器の便器本体とトラップ装置とを分離して示した斜視図である。
図１９は固定用切欠部の周囲の構造についての別実施例を示す平断面図である。
図２０は固定用切欠部の周囲の構造についての別実施例を示す平断面図である。
図２１は便器の開口部の閉塞に関する実施例を示す図である。
図２２は別実施例に係るトラップ装置の全体斜視図である。
図２３は別実施例に係るトラップ装置の全体斜視図である。
図２４はトラップ装置の一部が便器本体を載置する架台と一体に形成された例を示す縦断面図である。
図２５は本発明に係る水洗式大便器のうち壁面排水に適用された例を示す縦断面図
図２６はリム型と胴型による成形部位を示す図である。
図２７は胴型を構成する各型の斜視図である。
図２８は上型の下面を示す図である。
図２９は上型と下型を合せた状態の縦断面図である。
図３０は本発明に係る鋳込み成形用型装置にて成形される便器本体の縦断面図である。
図３１は本発明に係る他の鋳込み成形用型装置胴型を構成する各型の斜視図である。
図３２は図３１に示した鋳込み成形用型装置の上型と下型を合せた状態の縦断面図である。
図３３は図３１に示した鋳込み成形用型装置にて成形される便器本体の縦断面図である。
図３４は図３１に示した鋳込み成形用型装置にて成形される便器本体の別実施例の斜視図である。
図３５は従来の水洗式大便器の斜視図である。
発明を実施するための最良の形態
以下に本発明の実施の形態を添付図面に基づいて説明する。図１は本発明に係る水洗式大便器の便器本体とトラップ装置とを分離して示した斜視図。図２は便器本体の縦断面図、図３はトラップ装置の縦断面図であり、便器本体１は別体として成形された後に接合されたリム部２を上部に備え、このリム部２は後部を給水室２ａとし、この給水室２ａ上にロータンク等を設置する。そして給水室２ａからボール部の上縁部に位置するリム通水路２ｂに洗浄水を供給する。
一方、便器本体１はボール部３、ボール部の排水口４に連続する上昇管５、この上昇管５に連続する立下管６、及び側面から前面にかかる部分を覆う隠蔽部としてスカート形状をしたスカート部７が鋳込み成形にて一体成形されるとともに、下面部及び背面部が開放され、更に背面部には便器本体からの折り返し部８が一体成形され、スカート部７の下側部にはトラップ装置１０を介して便器を固定するための切欠部９が形成されている。
ここで、図に示す便器本体１にあっては、ボール後方板３ａ及びジェット噴出口４ａの上板３ｂについては便器本体１を成形した後に別に接着する。
トラップ装置１０は立下管６下端の排水口に接続される上流側接続管１１、床面に形成された排水口に接続される下流側接続管１２及びこれら上流側接続管１１及び下流側接続管１２とを接続する連結管１３からなる。
上流側接続管１１はプレート１４にて床面に固定されるとともに、上端部を大径部１１ａとし、この大径部１１ａ内側と立下管６外側間にシールリング１５を介設している。尚、シールリング１５を別体として介在させる代りに、図５に示すように大径部１１ａ内側に一体的にシール部１６を設けるようにしてもよい。
シール部１６としては、図６に示すように、大径部１１ａの外側に被冠するタイプとしてもよい。このシール部１６は内側に立下管６の下端部を保持するスカート部１６ａを備えている。このスカート部１６ａは立下管６の下端部よりも下方に位置する寸法とされ、スカート部１６ａ下端と大径部１１ａとの間の隙間１１ｂが極力少なくなるようにしている。
このような構成とすることで、洗浄水が大径部１１ａとスカート部１６ａとの間に侵入することがなくなり、サイホン作用を効率よく発生せしめることができる。
下流側接続管１２はプレート１７にて床面に固定される。このプレート１７には前記切欠部９の取付け孔９ａを介して便器本体１を床面に固定するための孔１７ａ、床面に形成された排水口に嵌め込むフランジ２０（図１３を参照）を固定する孔１７ｂが形成され、孔１７ａについては複数個設けることで、取付け位置の微調整が可能な構造にしている。
また、連結管１３は前記上流側接続管１１及び下流側接続管１２と嵌合し、これら上流側接続管１１、下流側接続管１２及び連結管１３に亘ってトラップシールのための水溜り部１８を形成している。
このように、下流側接続管１２にまで水溜り部１８を延長して形成することで、サイホン効果を途中の抵抗なく発生させることができ、節水に有効となる。
尚、水溜り部１８については、図４に示すように上流側接続管１１にのみ形成するようにしてもよい。斯かる構造とすると、節水については図３に示したものより若干不利になるが、接続部での漏水を確実に防止することができる。
また、図７は上流側接続管の別実施例を示す断面図、図８は図７に示した上流側接続管の平面図、図９は図３に示したトラップ装置の上流側接続管の平面図であり、図７及び図８に示す別実施例にあっては、上流側接続管１１の壁部１１ｃを傾斜させることで、水平段部１１ｄを図９に示した前記実施例の水平段部よりもその面積を小さくしている。
上流側接続管１１に流入してくる洗浄水の初期の水量が少ない場合、図９で示した実施例ではサイホン作用が発生するまでに時間がかかり多くの水量を要し、所期の排水性能が得られず、節水効果も得られない。
そのため、図７及び図８に示すように、水平段部１１ｄの面積を図９で示した実施例よりも小さくすることで、上流側接続管１１に流入してくる洗浄水の初期の水量が少ない便器の場合でも、サイホン作用を早期に発生させることができ、所定の排水性能を実現できる。
図１０（ａ）はトラップ装置の別実施例を示す斜視図であり、この実施例にあっては、上流側接続管１１と連結管１３に互いに係合する凹部１１ｅと凸部１３ａを設け、連結管１３と下流側接続管１２に互いに係合する凹部１３ｂと凸部１２ａを設けている。
このような構成とすることで、上流側接続管１１、連結管１３及び下流側接続管１２が円形管であっても、捩れた状態で接合されるのを確実に防止することができる。
図１０（ｂ）はトラップ装置の更なる別実施例を示す斜視図であり、この実施例にあっては、連結管１３の外径を上流側接続管１１及び下流側接続管１２の内径と略等しくし、また、上流側接続管１１及び下流側接続管１２にはキー溝１１ｆ，１２ｆを設け、連結管１３にはこれらキー溝１１ｆ，１２ｆに嵌合するキー１３ｆを設けている。
このような構成とすることで、連結管１３は上流側接続管及び下流側接続管に対し液密状態で且つ摺動可能に嵌合する。したがって、連結管１３を任意の長さに切断して使用することができるので、設置の自由度が高まる。
図１１はトラップ装置を構成する下流接続管の別実施例を示す図、図１２は下流接続管を２分割した場合の接合部の断面図であり、この実施例にあっては、下流接続管１２を管本体１２ｂと上椀部１２ｃに２分割している。下流接続管１２の形状が湾曲しており一体で射出成形できない場合には、このように複数に分割して成形する。
そして、複数に分割した場合には、接合部での強度及び水漏れが問題となるが、図１２に示すように接合部の形状を段部にすることで、これを解決できる。
また、接合する際に上椀部１２ｃをクランプして管本体１２ｂに押し付ける必要があるが、上椀部１２ｃのリブ１２ｄを形成しておくことで、その操作が容易になる。
ところで、前記連結管１３は増減することができる。即ち、便器の背面側の壁から床面の排水口の中心間での距離をラフィンと称するが、連結管１３を増減することでラフィンの長さに合せてトラップ装置１０の全長を調整できるようにしている。
即ち、図１３及び図１４（ａ）はラフィンの長さが１２インチの場合で、この場合には上流側接続管１１と下流側接続管１２との間を１本の連結管１３でつないでいる。
そして、ラフィンの長さが１０インチの場合は、図１４（ｂ）に示すように、連結管１３を省略し、締結ボルト１９の位置もプレート１７の最も外側の孔１７ａに挿通し、またラフィンの長さが１４インチの場合は、図１４（ｃ）に示すように、連結管１３を２本連結し、締結ボルト１９の位置もプレート１７の最も内側の孔１７ａに挿通している。
このように、連結管１３を切断することなくラフィンの長さに合せる構成とすることで設置現場での作業がすばやく且つ間違いなく行える。
また、図１５はトラップ装置を構成する下流側接続管の別実施例を示す断面図であり、この実施例にあっては、下流側接続管１２の床面の排水口側の開口部２３に調節リング２２を着脱自在に介設し、この調節リング２２によって開口面積を縮小可能としている。尚、調節リング２２は下流側接続管１２と一体に成形してもよい。
このように、排水口４からトラップ装置１０に流入する洗浄水・汚物の量に応じて開口部２３の開口面積及び調節リング２２と下流側接続管１２で形成される段部２２’を調節することで、最適な排水性能が得られる。
図１６は下流側接続管と便器本体との接続の別実施例を示す斜視図であり、前記実施例にあっては、プレート１７をフランジ部２０を介して床面に固定し、便器本体１をプレート１７に固定する構造としたが、この実施例にあっては、締結ボルト２１によって便器本体１、プレート１７及びフランジ部２０を共締めしている。尚、ラフィンが変更しても便器本体１の取り付け位置を変えないために、便器本体１に形成する取付け孔９ａを複数個形成している。
尚、取付け孔９ａを複数個形成する代りに、図１７に示すように長孔９ｂを形成してもよい。また、プレートとフランジ部とを合体させてもよい。
図１８は別実施例に係る水洗式大便器の便器本体とトラップ装置とを分離して示した斜視図であり、この実施例にあっては、便器本体１にタンク１ａを一体的に設け、また便器本体１の背面部下部にトラップ装置１０と結合するための切欠部９を形成している。
ところで、便器の後部が開放された便器の背面部下部に切欠部９を形成すると、乾燥の段階で後部の両端が上方にハネ上がる不都合が生じる虞れがある。
そこで、図１９に示すように、切欠部９の内側部に空同部９ｂを設け、この部分をパイプと同様に曲りに対し強い形状にすることが好ましい。変形に対処するには、図２０に示すように、切欠部９を角部に設けずに、若干前方に位置せしめるとともにその内側に空同部９ｂを設けることが更に好ましい。
また、図２１は便器の開口部の閉塞に関する実施例を示す図であり、切欠部９や後面を開放した便器にあっては、見栄えをよくし、悪戯防止を図るべく、切欠部９の内面及びに便器１の後面開口の周囲に面ファスナー９ｃを貼り付け、一方、切欠部９を塞ぐ蓋体４０、便器１の後面開口を塞ぐ蓋体４１にも面ファスナー４０ａ，４１ａを貼着し、蓋体４０，４１を切欠部及び開口に対して着脱自在にしている。
一方、図１８に戻って、トラップ装置１０を構成する下流側接続管１２はプレート１７を介して床面に固定され、上流側接続管１１はプレート１４に設けた床面取付穴１４ａを介して床面に固定され、更にプレート１４には前記切欠部９の取付穴９ａを介して便器本体１をボルトで固定するための取付穴１４ｂが形成されている。この取付穴１４ｂはＴ字状をなし、便器本体１の取り付け位置を微調整可能及び上流接続管を床固定した後でも、差込み施工が可能としている。
図２２及び図２３は別実施例に係るトラップ装置の全体斜視図であり、前記実施例にあっては、上流側接続管１１を固定しているプレート１４に床からのボルト４５を挿通し、このボルト４５にて便器１をプレート１４を介して、床面に固定しているが、図２２及び図２３に示す実施例にあっては、床からのボルト４３によって、下流側接続管１２側のプレート１７を固定し、このプレート１７にフレーム４４を固定し、このフレーム４４で上流側接続管１１のプレート１４を押え付け、このプレート１４と便器１とをボルト４５で結合するようにしている。
即ち、床面に直接固定されるのはプレート１７であり、プレート１４はトラップ装置と便器の固定を行っている。
また、図２３に示す実施例にあっては、フレーム４４の後端部を金具４６にて壁面に固定し、このフレーム４４でプレート１４を上方から強固に押え付けるようにしている。
図２４はトラップ装置の一部が便器本体を載置する架台と一体に形成された例を示す縦断面図であり、この実施例にあっては、便器本体１を架台３０上に設置して高さを調節し、身障者にも簡単に使用できるようにしている。
そして、前記架台３０にトラップ装置１０を構成する上流側接続管１１が一体的に設けられ、連結管１３、下流側接続管１２及びプレート１７はラフィン調整のため架台３０及び上流側接続管１１から分離され、更に上流側接続管１１と立下管６との間は連結管３１で接続されている。
尚、連結管３１を別体で設ける代りに、上流側接続管１１を更に上方に伸ばした形状としてもよい。
更に、図２５は本発明に係る水洗式大便器のうち壁面排水に適用された例を示す縦断面図であり、この実施例にあっては、前記上流側接続管１１と類似の形状の配管３２を背面側に向けて取付け、壁面に形成した排水口に連結する構造にしている。尚、配管３２にはプレート３３に一体的に設けられ、このプレート３３には床面に対してプレート３３を固定する穴３４と、プレート３３に対して便器本体を固定する穴３５が形成され、穴３５についてはＴ字状等とし、便器本体の取付け位置を微調整可能にしている。
次に、便器本体１を鋳込み成形する型装置について説明する。図２６に示すように、便器本体１のうちリム部２はリム型にて別体として成形され、後で接着される。またリム部２を除く便器本体１は胴型にて鋳込み成形される。また、図２６に示す便器本体１にあっては、前記したようにボール後方板とジェット噴出口の上板については後工程で接着する。
胴型は図２７に示すように上型３１、底型３２及び左右の側型３３から構成され、上型３１は図２８に示すようにボール部３を成形する成形面３１ａ、上昇管５と立下管６の上側部分を成形する成形面３１ｂを有する。
また、底型３２は上昇管５と立下管６の下側部分を成形する成形面３２ａ、スカート部７の内側面を成形する成形面３２ｂ、折り返し部８の内側面を成形する成形面３２ｃを有する。
更に、左右の側型３３はスカート部７の外側面を成形する成形面３３ａ、折り返し部８の外側面を成形する成形面３３ｂを有する。
以上において、図２９に示すように上型３１と底型３２を合せ、更に左右の側型３３を合せ、型間に形成されるキャビティ内に泥漿を流し込むことで、ボール部３、ボール部の排水口４に連続する上昇管５、この上昇管に連続する立下管６、側面から前面にかかる部分を覆うスカート部７及び折り返し部８が一体成形され、更に下面部及び背面部が開放された便器本体が形成され、更に、便器の排水口４側のボール部の一部を形成するボール後方板３ａと、ジェット噴出口の上板３ｂを接着して便器本体を形成する。
このように、上記した上型３１と底型３２では、ボール後方板３ａとジェット噴出口の上板３ｂを後工程で別途接着する必要があるが、図３０に示すようにジェット噴出口の上板を省略し、ボール後方板３ａが上昇管５の一部を兼ねる構造にすれば、後工程での接着が不要になる。
また、図３１は本発明に係る他の鋳込み成形用型装置胴型を構成する各型の斜視図、図３２は図３１に示した鋳込み成形用型装置の上型と下型を合せた状態の縦断面図であり、この実施例のように、左右の側型３３の、折り返し部８の外側面を成形する成形面３３ｂを延長して左右の側型３３を背面側で突き合せることで、図３３及び図３４に示すような、背面側が閉じられた便器本体を成形することができる。
以上に説明した如く本発明によれば、便器本体のボール部と、トラップ部の少なくとも一部と、前記トラップ部を隠蔽するトラップ隠蔽部とを一体成形としたので、トラップ部が便器の側面に露出せず外観デザイン性が向上し、汚れが付着しにくく清掃もしやすい。
また、前記トラップ部が便器本体と一体成形されたボール部の排水口に連続する上昇管と、この上昇管に連続する立下管と、便器本体とは別体で便器本体の排水口に接続される上流側接続管と便器本体外に設けられた排水口に接続される下流側接続管とで構成されるトラップ装置とからなるので、ラフィン調整が簡単に行え、トラップ装置も露出せず外観デザイン性がよい。
また、前記トラップ隠蔽部が便器本体の下面部と背面部を除く周面に形成したので、下面部と背面部が開放され、トラップ装置の組み込み作業が楽に行える。
また、上記のように下面部と背面部が開放された場合に、背面部の開口部の一部に補強部を設けることにより下面部と背面部が開放されたことによる強度の不足をカバーできる。
また、前記補強部をトラップ隠蔽部と一体成形し、それを背面部に折り返し部として形成したので、強度アップを図れるとともにデザイン性も向上する。
また、前記トラップ隠蔽部を便器本体の下面部を除く周面に形成した場合には、便器本体の背面部が閉塞され便器本体の強度アップを図ることができる。
また、トラップ装置を、便器本体の排水口に接続される上流側接続管、床面に形成された排水口に接続される下流側接続管及びこれら上流側接続管及び下流側接続管とを接続する連結管にて構成し、これら上流側接続管、下流側接続管及び連結管に亘ってトラップシールのための水溜り部を形成することで、サイホン効果を早く発生せしめることができ、節水に有効となる。
更に、サイフォン発生後の配管抵抗が水溜り部では小さいので、高い吸引力が持続でき、排水効果に非常に有効である。
また、上流側接続管のみにトラップシールのための水溜り部を形成すれば、上流側接続管、下流側接続管及び連結管の各連結部における水漏れが発生する虞れがなくなる。
また、トラップ装置の下流側接続管の排水口側の開口面積を調節する絞り部を設けることで、ボール部の排水口から流入する洗浄水、汚物の量に応じて便器毎に最適な排水性能が得られる。
また、便器本体と床面との間に高さ調節用の架台を設けた場合、従来の便器にあってはラフィン寸法が異なるとその対応が容易に行えず、面倒でコストアップにつながっていたが、本発明の如く、トラップ装置を複数の増減可能な管にて構成することで、ラフィン寸法の変化に容易に対応することができる。また、架台内側にトラップ装置を配置することで、デザイン性も向上する。
更に、本発明に係る鋳込み成形用型装置を用いることで、背面型を用いることなく、周囲にトラップ隠蔽部を有し、下面及び背面が連続して開放され、しかも背面部には便器本体と一体となった折り返し部を備えた便器本体を成形することができる。
また、背面型を用いることなく、周囲にトラップ隠蔽部を有し、下面が開放され、しかも背面部が閉じられた便器本体を成形することができる。
産業上の利用可能性
本発明に係る水洗式大便器は、水洗式大便器本体の周囲にトラップ部を隠蔽するトラップ隠蔽部を一体成形して設けたのでデザイン性に優れた水洗式大便器が実現できる。
また、このトラップ隠蔽部内にトラップ部の一部を別体のトラップ装置として構成することによりデザイン性を確保し且つ洗浄性能に優れた水洗式大便器の実現が可能となる。
また、鋳込み成形用型装置は背面型を用いることなく前記水洗式大便器の製造を容易に実現できる。
【図１】
0003766979.tif 000002
【図２】
0003766979.tif 000003
【図３】
0003766979.tif 000004
【図４】
0003766979.tif 000005
【図５】
0003766979.tif 000006
【図６】
0003766979.tif 000007
【図７】
0003766979.tif 000008
【図８】
0003766979.tif 000009
【図９】
0003766979.tif 000010
【図１０】
0003766979.tif 000011
【図１１】
0003766979.tif 000012
【図１２】
0003766979.tif 000013
【図１３】
0003766979.tif 000014
【図１４】
0003766979.tif 000015
【図１５】
0003766979.tif 000016
【図１６】
0003766979.tif 000017
【図１７】
0003766979.tif 000018
【図１８】
0003766979.tif 000019
【図１９】
0003766979.tif 000020
【図２０】
0003766979.tif 000021
【図２１】
0003766979.tif 000022
【図２２】
0003766979.tif 000023
【図２３】
0003766979.tif 000024
【図２４】
0003766979.tif 000025
【図２５】
0003766979.tif 000026
【図２６】
0003766979.tif 000027
【図２７】
0003766979.tif 000028
【図２８】
0003766979.tif 000029
【図２９】
0003766979.tif 000030
【図３０】
0003766979.tif 000031
【図３１】
0003766979.tif 000032
【図３２】
0003766979.tif 000033
【図３３】
0003766979.tif 000034
【図３４】
0003766979.tif 000035
【図３５】
0003766979.tif 000036